(57)【特許請求の範囲】
【請求項１】
切断装置が出入りする開口部および伸縮可撓継ぎ手を流体管の所定位置から移動させる移動手段を設けた上部ケース体と、前記流体管の外周面の所定位置に取り付けられた伸縮可撓継ぎ手の移動を案内するガイド装置を設けた下部ケース体と、からなるケース体を用い、前記流体管の所定位置に前記伸縮可撓性継ぎ手を取り付け、前記下部ケース体を設置し、伸縮可撓継ぎ手をガイド装置に係合させ、次いで上部ケース体を伸縮可撓継ぎ手を被覆して前記下部ケース体に設置してケース体を流体管の外周面に密閉状に外嵌し、前記開口部よりケース体内に挿入された切断装置によって流体管を切断し、当該切断部を覆う位置に前記伸縮可撓性継ぎ手を移動させ、流体管の切断部を密閉し、次いでケース体を撤去することを特徴とする伸縮可撓性継ぎ手の取り付け方法。
【請求項２】
流体管の外周面に設置された伸縮性可撓継ぎ手を被覆して密閉状に外嵌されるケース体が、切断装置が出入りする開口部および伸縮可撓継ぎ手を流体管の所定位置から当該流体管の切断箇所へ移動させる移動手段を設けた上部ケース体と、前記流体管の外周面の所定位置に取り付けられた伸縮性可撓継ぎ手の係合装置に係合され、伸縮可撓継ぎ手の移動を案内するガイド装置を設けた下部ケース体と、からなることを特徴とする伸縮可撓性継ぎ手の取り付け装置。
【請求項３】
前記伸縮可撓継ぎ手が切断個所の両側に設置された伸縮可撓継ぎ手によって構成されていると共に、前記移動手段がそれぞれの伸縮可撓継ぎ手を切断部方向に移動させる複数の移動手段によって構成されていることを特徴とする請求項２に記載の伸縮可撓性継ぎ手の取り付け装置。
【発明の詳細な説明】
【０００１】
【発明の属する技術分野】
本発明は、例えば水道管やガス管等に不断水で伸縮可撓性継ぎ手を取り付ける方法および装置に関する。
【０００２】
【従来の技術】
地中に埋設された流体管に、不断水の状態で流体管を切断し、伸縮可撓性継ぎ手を取り付ける方法として特公昭６０−３５５９４号公報に開示されているものがある。
【０００３】
この従来の伸縮可撓性継ぎ手の取り付け方法は、図６に示すように、上部に開口し、既設の流体管Ｐの外径よりも大きい内径に形成された主筒部Ｂと、端部に受口部Ｄが形成され、主筒部Ｂ側に向かって拡径した側筒Ｃと、受口部Ｄに配置されるパッキンＥと、パッキンＥを受口部Ｄに押し込む押輪Ｆと、主筒部Ｂの開口を塞ぐ蓋部Ｇとからなる伸縮可撓継ぎ手Ａを、流体管Ｐを不断水状態にて切断して取り付けるものである。
【０００４】
取り付けは下記の工程で行われる。
（ａ）流体管Ｐに伸縮可撓継ぎ手Ａを水密に取り付ける工程。
（ｂ）上部開口に作業用仕切弁を水密に取り付ける工程。
（ｃ）作業用仕切弁の上部に切断機を水密に取り付ける工程。
（ｄ）作業用仕切弁を開け、切断機のカッターで流体管Ｐを切断する工程。
（ｅ）カッターを引き上げ、切片を回収し、作業用仕切弁を閉じる工程。
（ｆ）作業用仕切弁より切断機を取り外し、蓋部Ｇの挿入機を水密に取り付ける工程。
（ｇ）作業用仕切弁を開け、蓋部Ｇを開口に設置する工程。
（ｈ）挿入機を作業用仕切弁より取り外す工程。
（ｉ）作業用仕切弁を開口より取り外す工程。
【０００５】
【発明が解決しようとする課題】
従来の伸縮可撓性継ぎ手の取り付け方法においては、作業用仕切弁を用いることによって不断水の状態での流体管の切断が可能となっているので、流体管の切断や主筒部に対する蓋部の挿入には作業用仕切弁が必須である。この作業用仕切弁を用いることによってその設置、撤去、開閉等の作業工程が煩雑となり、また、流体管の口径がある程度大きくなるとクレーン等の重機を使用するために、伸縮可撓性継ぎ手の取り付け作業に時間を多く要し、取り付けコストが高くなっていた。さらに、切断機のカッターを挿入する主筒部が伸縮可撓性継ぎ手に形成されているので、伸縮可撓性継ぎ手自体が大きくなり、製品のコストが高くなっていた。
【０００６】
本発明が解決しようとする課題は、上記問題を解決するためになされたもので、作業工程が簡単で、製品コストが安くなる伸縮可撓性継ぎ手の取り付け方法および装置を提供する点にある。
【０００７】
【課題を解決するための手段】
上記課題を解決するために、本発明の伸縮可撓性継ぎ手の取り付け方法は、切断装置が出入りする開口部および伸縮可撓継ぎ手を流体管の所定位置から移動させる移動手段を設けた上部ケース体と、前記流体管の外周面の所定位置に取り付けられた伸縮可撓継ぎ手の移動を案内するガイド装置を設けた下部ケース体と、からなるケース体を用い、前記流体管の所定位置に前記伸縮可撓性継ぎ手を取り付け、前記下部ケース体を設置し、伸縮可撓継ぎ手をガイド装置に係合させ、次いで上部ケース体を伸縮可撓継ぎ手を被覆して前記下部ケース体に設置してケース体を流体管の外周面に密閉状に外嵌し、前記開口部よりケース体内に挿入された切断装置によって流体管を切断し、当該切断部を覆う位置に前記伸縮可撓性継ぎ手を移動させ、流体管の切断部を密閉し、次いでケース体を撤去することを特徴としている。
この特徴により、流体管に伸縮可撓性継ぎ手を仮設置するとともに、前記伸縮可撓継ぎ手を覆うようにしてケース体を取り付け、ケース体に設けられた開口部より切断装置を挿入して流体管を切断した後に、前記伸縮可撓性継ぎ手を切断個所が覆われる位置に、ガイド装置に案内されながら移動させ、流体管の切断部を密閉したのち、ケース体を撤去することによって伸縮可撓性継ぎ手を取り付けることができる。したがって、作業用仕切弁を使用することなく伸縮可撓性継ぎ手を流体管に取り付けることができるので、作業工程が少なくなり、重機の使用も少なくすることができるので取り付けコストを低くすることができる。また、ケース体の開口部に穿孔機を取り付けて切断装置で流体管を切断するので、伸縮可撓性継ぎ手には、従来のような穿孔機を取り付けて切断装置を出入りさせる主筒部を設ける必要がないので伸縮可撓性継ぎ手の製作コストを低くすることができる。
【０００８】
また、本発明の伸縮可撓性継ぎ手の取り付け装置は、流体管の外周面に設置された伸縮性可撓継ぎ手を被覆して密閉状に外嵌されるケース体が、切断装置が出入りする開口部および伸縮可撓継ぎ手を流体管の所定位置から当該流体管の切断箇所へ移動させる移動手段を設けた上部ケース体と、前記流体管の外周面の所定位置に取り付けられた伸縮性可撓継ぎ手の係合装置に係合され、伸縮可撓継ぎ手の移動を案内するガイド装置を設けた下部ケース体と、からなることを特徴としている。
これによれば、作業用仕切弁を使用することなく、ケース体の開口部から出入りさせる切断装置により流体管を切断し、伸縮可撓性継ぎ手を移動手段により切断個所を覆う位置に、ガイド装置に案内されながら移動させて取り付けることができるので、作業工程が少なく、取り付け作業が容易となる。また、伸縮可撓性継ぎ手はガイド装置に沿って所定の方向に移動するので、正確で円滑な作業が行え、作業効率が向上し取り付けコストを下げることができる。
【０００９】
前記伸縮可撓継ぎ手が切断個所の両側に設置された伸縮可撓継ぎ手によって構成されていると共に、前記移動手段がそれぞれの伸縮可撓継ぎ手を切断部方向に移動させる複数の移動手段によって構成されているのが好ましい。
このようにすると、伸縮可撓性継ぎ手の移動距離が短くなるので作業時間を短縮することができる。また、伸縮可撓性継ぎ手における流体管とのシール部が流体管の切断部を跨いで移動することがなくなるので水密性に対する安全性が高まる。
【００１１】
【発明の実施の形態】
以下、本発明の実施例を図面に基づいて説明する。
【００１２】
まず図１ないし図５を参照して、本発明の装置について説明する。１は流体管の外周面に装着される鋼製の円筒形をした伸縮可撓性継ぎ手の取り付け装置としてのケース体、２は切断機が取り付けられる開口部、３は伸縮可撓性継ぎ手を移動させるときのガイド装置、４は伸縮可撓性継ぎ手を移動させる移動手段、５は既設の流体管に取り付けられる伸縮可撓性継ぎ手を示している。
【００１３】
ケース体１は、半割円筒形の上部ケース体１ａと下部ケース体１ｂとの２分割構造となっており、上部ケース体１ａと下部ケース体１ｂの対向端面には、フランジ部１ｃ、１ｃが形成され、このフランジ部１ｃ、１ｃに挿通したボルトをナットにより締め付けることによりパッキンを介してケース体１ａ、１ｂは水密に組み立てられる。また、ケース体１の両端部の流体管外周面との接触部もパッキンを介して水密性が保たれている。
【００１４】
ケース体１の中央部および端部側面には、ケース体１内部における流体管の穿孔切断の状態や伸縮可撓性継ぎ手の状態を確認したり、内部を照らすための観察窓１ｄや、ケース体１の内部の伸縮可撓性継ぎ手５の姿勢を外部より制御する制御装置窓１ｅが複数形成されており、両端部には、ケース体１と流体管６の軸をほぼ同じにして固定するための固定装置１ｆが形成されている。
【００１５】
上部ケース体１ａの中央には、ホールソー（切断装置）が回転および進退自在に設けられている切断機を取り付けるフランジ２ａが形成された上方に開口している開口部２が設けられている。また、開口部２の左右には、伸縮可撓性継ぎ手５を管軸方向に移動させる移動体４ａが設けられた一対の移動手段４が配置されている。
【００１６】
下部ケース体１ｂの下側４箇所にはケース体１を支える脚部が形成され、内部には、伸縮可撓性継ぎ手５を所定の方向に移動させるガイド装置３が設けられている。
【００１７】
また、中央下部には、切断中の切粉を排出したり、ケース体１内部の水を排水するドレーン管１ｇが設けられ、その端部には仕切弁１ｈが設置されている。
【００１８】
伸縮可撓性継ぎ手５は、中央部がテ−パ状に拡径しており、ほぼ中央部で左右に２分割されて、パッキンを介して水密に接合される構造となっている。
【００１９】
また、流体管６に取り付けるために半径方向にさらに分割されており、その対向端部にフランジ部が形成され、フランジ部同士をボルト・ナットによりパッキンを介して水密に組み立てられている。
【００２０】
伸縮可撓性継ぎ手５の下部には、前記ガイド装置３に係合して所定の移動方向に導かれるための係合装置５ａが突設されている。
【００２１】
次に、上記実施例の取り付け装置を用いての伸縮可撓性継ぎ手の取り付け方法について説明する。
【００２２】
まず、伸縮可撓性継ぎ手５を既設の流体管６の所定位置に左右に分割した状態で取り付け、下部ケース体１ｂを設置し、係合装置５ａをガイド装置３の所定の位置に係合させる。伸縮可撓性継ぎ手５は、右側は水平方向に分割されており、左側は垂直方向で分割されているように取り付けられている。
【００２３】
次に、上部ケース体１ａを伸縮可撓性継ぎ手５を覆うようにして下部ケース体１ｂに設置し、フランジ部１ｃ、１ｃ間にパッキンを配してボルトを挿通させナットを締め付け、ケース体１の両端部の流体管外周面との接触部にパッキンを押輪で装着して水密に組み立てる。
このとき、移動手段４の移動体４ａを伸縮可撓性継ぎ手の所定位置に係合させる。
【００２４】
固定装置１ｆを作動させて、流体管６とケース体１の軸をほぼ同じななるように固定する。
ついで上部ケース体１ａの開口部２のフランジ２ａに、図示されていない切断機を水密に取り付け、切断機に配置されているホールソーを回転降下させて流体管を、ドレーン管１ｇの仕切弁１ｈを開放して切粉を排出させながら切断し、流体管の切断片を回収してホールソーを上昇させる。
【００２５】
流体管６の切断終了後に、ある観察窓１ｄから投光器で内部を照らして、別の観察窓１ｄより切断状況を確認した後に移動手段４を操作し、左右それぞれの移動体４ａを中央方向に移動させることによって、左右に分割されている伸縮可撓性継ぎ手５が、ガイド装置３に沿って中央に移動し、パッキンを介して水密に一体化される。
【００２６】
伸縮可撓性継ぎ手５の向きの状態が不良の場合には、観察窓１ｄから内部を観察しながら、制御装置窓１ｅより制御装置を用いて姿勢の制御を行いながら伸縮可撓性継ぎ手６の接合を行なう。
【００２７】
確認後に、ケース体１内部の水をドレーン管１ｇより排水し、上下のケース体１ａ、１ｂを流体管６より取り外す。
【００２８】
伸縮可撓性継ぎ手５の左右分割部をボルト・ナットで再度固定し伸縮可撓性継ぎ手６の取り付け作業を終了する。
【００２９】
従来の取り付け方法に比較して、作業用仕切弁を使用していないので、その設置や撤去、あるいは開閉といった作業、あるいは切断機と挿入機の設置替えといった作業がないので作業工程が簡略化されており、作業時間が大幅にに短縮される。
【００３０】
以上、本発明の実施例を図面により説明してきたが、本発明の具体的な構成はこれに限定されるものではない。
【００３１】
実施例の切断装置はホールソーであるが、バイト、エンドミル、ワイヤーソー、あるいはレーザー等の流体管を切断できるものであればよい。
また、ケース体は２分割されているが３分割であってもよい。
【００３２】
実施例では、伸縮可撓性継ぎ手は左右に分割されているが、左右に分割せずに上下の分割だけだあってもよい。このときにはケース体に設けられた移動手段は左右どちらか一方に設けられていればよい。
【００３３】
【発明の効果】
本発明によれば、作業用仕切弁を使用することなく伸縮可撓性継ぎ手を流体管に取り付けることができるので、作業工程が少なくなり、重機の使用も少なくすることができるので取り付けコストを低くすることができる。
【００３４】
また、ケース体の開口部に穿孔機を取り付けて切断装置で流体管を切断するので、伸縮可撓性継ぎ手には、従来のような穿孔機を取り付けて切断装置を出入りさせる主筒部を設ける必要がないので伸縮可撓性継ぎ手の製作コストを低くすることができる。
【００３５】
請求項２の発明によると、作業用仕切弁を使用することなく、ケース体の開口部から出入りさせる切断装置により流体管を切断し、伸縮可撓性継ぎ手を移動手段により切断個所を覆う位置に移動させて取り付けることができるので、作業工程が少なく、取り付け作業が容易となる。また、伸縮可撓性継ぎ手はガイド装置に沿って所定の方向に移動するので、正確で円滑な作業が行へ、作業効率が向上し取り付けコストを下げることができる。
【００３６】
請求項３の発明によると、伸縮可撓性継ぎ手の移動距離が短くなるので作業時間を短縮することができる。また、伸縮可撓性継ぎ手における流体管とのシール部が流体管の切断部を跨いで移動することがなくなるので水密性に対する安全性が高まる。
【００３８】
【図面の簡単な説明】
【図１】本発明の実施例を示す正面図である。
【図２】同じく、側面図である。
【図３】同じく、Ｉ−Ｉ断面図である。
【図４】同じく、ＩＩ−ＩＩ断面図である。（流体管省略）
【図５】同じく、ＩＩＩ−ＩＩＩ断面図である。
【図６】従来例を示す（ａ）は一部切り欠き正面図である。
【符号の説明】
１          ケース体
１ａ        上部ケース体
１ｂ        下部ケース体
１ｃ        フランジ部
１ｄ        観察窓
１ｅ        制御装置窓
１ｆ        固定装置
１ｇ        ドレーン管
１ｈ        仕切弁
２          開口部
２ａ        フランジ
３          ガイド装置
４          移動手段
４ａ        移動体
５          伸縮可撓性継ぎ手
５ａ        係合装置
６          流体管
【図１】
0004386490.tif 000002
【図２】
0004386490.tif 000003
【図３】
0004386490.tif 000004
【図４】
0004386490.tif 000005
【図５】
0004386490.tif 000006
【図６】
0004386490.tif 000007